(57)【要約】【課題】部品点数を少なくでき、組み付け性を向上させることができ、チャイルドシートのテザーをテザーアンカーに取付けた使用状態、及び、テザーをテザーアンカーに取付けてない非使用状態での外観を向上させることができ、前記使用状態であっても後方が見えにくくなることがなく、カバーへの他物の引っ掛かりに起因するカバーの変形やパーテーショントリムからのはずれを防止できるチャイルドシートアンカー装置を提供する。【解決手段】座席後方のパーテーションパネル１に、チャイルドシートのテザーに対するテザーアンカー２を取付け、パーテーションパネル１を上方から覆うパーテーショントリム３に、テザーアンカー２の上方を開放する開口部４を形成し、パーテーショントリム３の面３Ｍ，３Ｎに沿って移動して開口部を開閉するカバー５を設けてある。【選択図】図３
2008120356.tif 000002
【特許請求の範囲】
【請求項１】
座席後方のパーテーションパネルに、チャイルドシートのテザーに対するテザーアンカーを取付け、前記パーテーションパネルを上方から覆うパーテーショントリムに、前記テザーアンカーの上方を開放する開口部を形成し、前記パーテーショントリムの面に沿って移動して前記開口部を開閉するカバーを設けてあるチャイルドシートアンカー装置。
【請求項２】
前記パーテーショントリムに側面視で上側に凸の円弧状の突曲部を形成し、前記開口部を前記突曲部に形成してある請求項１記載のチャイルドシートアンカー装置。
【請求項３】
前記カバーをガイドするガイド部を前記パーテーショントリムの裏面部に設け、前記ガイド部を、前記カバーの一側部を摺動させてガイドする第１ガイド溝部と、前記カバーの他側部を摺動させてガイドする第２ガイド溝部とから構成して、前記カバーをスライド開閉式に構成してある請求項１又は２記載のチャイルドシートアンカー装置。
【請求項４】
前記カバーの一側部の表裏両面に、前記第１ガイド溝部の一対の溝面を各別に摺動する断面円弧状の第１突条をそれぞれ形成し、
前記カバーの他側部の表裏両面に、前記第２ガイド溝部の一対の溝面を各別に摺動する断面円弧状の第２突条をそれぞれ形成してある請求項３記載のチャイルドシートアンカー装置。
【請求項５】
前記第１ガイド溝部の一方の溝面と前記第２溝部の一方の溝面とを前記パーテーショントリムの裏面で構成してある請求項４記載のチャイルドシートアンカー装置。
【請求項６】
前記第１ガイド溝部を、前記パーテーショントリムの裏面から突出したリブ状の第１ガイド壁の付け根部に形成するとともに、前記第２ガイド溝部を、前記パーテーショントリムの裏面から突出したリブ状の第２ガイド壁の付け根部に形成し、
前記第１ガイド壁と第２ガイド壁を互いに離間する方向に弾性変形可能に構成し、
前記第１ガイド壁と第２ガイド壁の対向する一対の側面を前記開口部側に向かって窄まるテーパ面に形成し、
前記カバーの前記パーテーショントリムへの組付け工程において、前記カバーの一側部と他側部を前記第１ガイド壁と第２ガイド壁の前記一対の側面に前記パーテーショントリムの裏側から各別に当接させて、前記カバーを前記開口部側に押し込むに伴って、前記カバーの一側部と他側部が、前記一対の側面にガイドされながら前記第１ガイド壁と第２ガイド壁を弾性力に抗して押し広げ、前記第１ガイド溝部と第２ガイド溝部に前記一側部と他側部が各別に嵌合するとともに、前記第１ガイド壁と第２ガイド壁が弾性復帰して、前記カバーが前記パーテーショントリムに組付けられるよう構成してある請求項３〜５のいずれか一つに記載のチャイルドシートアンカー装置。
【請求項７】
前記カバーの開き方向で上手側の前記カバーの端部の表側面に開閉操作用のつまみを突出形成し、
開閉方向逆向き姿勢で前記開口部側に押し込まれたカバーを受止めるカバー受け部を、前記開き方向上手側の前記第１ガイド壁の端部と第２ガイド壁の端部とに設け、前記第１ガイド壁と第２ガイド壁の突出方向に対して直交又はほぼ直交するカバー受け面を前記カバー受け部に形成し、前記組付け工程において前記カバーが開閉方向逆向き姿勢で前記開口部側に押し込まれると、前記カバー受け面が前記カバーの一側部と他側部を受け止めるか、あるいは、前記つまみが前記パーテーショントリムの裏面に当接して誤組付けが防止されるよう構成してある請求項６記載のチャイルドシートアンカー装置。
【請求項８】
請求項６記載のチャイルドシートアンカー装置のパーテーショントリムであって、
前記カバーの開き方向で上手側の前記第１ガイド壁の端部との間に第１係合溝を形成する第１凸部を、前記第１ガイド壁の端部よりも前記開き方向上手側に位置する状態に裏面に突設するとともに、前記カバーの開き方向で上手側の前記第２ガイド壁の端部との間に第２係合溝を形成する第２凸部を、前記第２ガイド壁の端部よりも前記開き方向上手側に位置する状態に前記裏面に突設し、
前記カバーに換えて前記開口部を常に閉塞しておくための閉塞蓋の一側部と他側部を、前記第１ガイド壁と第２ガイド壁の前記一対の側面に裏側から各別に当接させて、前記閉塞蓋を前記開口部側に押し込むに伴って、前記閉塞蓋の一側部と他側部が、前記一対の側面にガイドされながら前記第１ガイド壁と第２ガイド壁を弾性力に抗して押し広げ、前記第１ガイド溝部と第２ガイド溝部に前記閉塞蓋の一側部と他側部が各別に嵌合するとともに、前記第１ガイド壁と第２ガイド壁が弾性復帰し、さらに、前記開き方向で上手側の前記閉塞蓋の一側部分から幅方向外方側に張り出す第１張り出し部が前記第１係合溝に係合し、前記開き方向で上手側の前記閉塞蓋の他側部分から幅方向外方側に張り出す第２張り出し部が前記第２係合溝に係合して、前記閉塞蓋が組付けられるよう構成してあるパーテーショントリム。
【発明の詳細な説明】
【技術分野】
【０００１】
本発明はチャイルドシートアンカー装置及びパーテーショントリムに関する。
【背景技術】
【０００２】
自動車には車内とトランクを仕切るパーテーションパネルが、バックウィンドウ用の開口の下端から車両前方側に向かって配置されて、後部座席のシートバックの上端部付近とバックウィンドウ用の開口の下端との間を塞いでいる。そして、後部座席にはチャイルドシートが装着されることがあるので、チャイルドシートのテザーを係止するためのテザーアンカーが、パーテーションパネルの車両前方側の上面にボルト固定され、パーテーションパネルを上方から覆うパーテーショントリムに、テザーアンカーの上方を開放する開口部が形成されている。
【０００３】
この開口部を開口させたままにしてあるとテザーアンカー非使用時の外観が悪くなる。そこで、従来、特許文献１に開示されているように、後ろ側の横軸芯周りに開閉揺動して開口部を開閉するカバーをパーテーショントリムに設けた技術があった。
【０００４】
さらに特許文献２開示されているように、テザーアンカーを開口部から上方に突出させ、後ろ側の薄肉ヒンジの周りに上下開閉揺動する箱形のカバーをテザーアンカーに取付けて、テザーアンカーをカバーで覆ったアンカー非使用状態と、テザーアンカーを露出させたアンカー使用状態とに切換え自在に構成した技術もあった。
【特許文献１】特開２００２−１０４０３７号公報
【特許文献２】特許３４８９２７４号公報
【発明の開示】
【発明が解決しようとする課題】
【０００５】
しかしながら、特許文献１の構造によれば、カバーを横軸芯周りに開閉揺動させるために、回転機構を構成する部品の数が多くて構造が複雑化するとともに、組み付けに手間がかかっていた。また、チャイルドシートのテザーをテザーアンカーに取付けた使用状態では、カバーがパーテーショントリムの上面から立ち上がった状態になって後方が見えにくくなるとともに、カバーに他物が引っ掛かってカバーが変形したりパーテーショントリムからはずれたりするおそれがあった。
【０００６】
特許文献２の構造によれば、箱形のカバーがパーテーショントリムから上方に突出した状態になるために、パーテーショントリムとの一体感が乏しく、チャイルドシートのテザーをテザーアンカーに取付けない非使用状態での外観が悪くなっていた。
【０００７】
本発明は上記実状に鑑みて成されたもので、その目的は、部品点数を少なくでき、組み付け性を向上させることができ、チャイルドシートのテザーをテザーアンカーに取付けた使用状態、及び、テザーをテザーアンカーに取付けてない非使用状態での外観を向上させることができ、前記使用状態であっても後方が見えにくくなることがなく、カバーへの他物の引っ掛かりに起因するカバーの変形やパーテーショントリムからのはずれを防止できるチャイルドシートアンカー装置、及びチャイルドシートアンカー装置のパーテーショントリムを提供する点にある。
【課題を解決するための手段】
【０００８】
本第１発明の特徴は、
座席後方のパーテーションパネルに、チャイルドシートのテザーに対するテザーアンカーを取付け、前記パーテーションパネルを上方から覆うパーテーショントリムに、前記テザーアンカーの上方を開放する開口部を形成し、前記パーテーショントリムの面に沿って移動して前記開口部を開閉するカバーを設けてある点にある。（請求項１）
【０００９】
この構成によれば、パーテーショントリムの面に沿って移動して開口部を開閉するカバーを設けてあるから、回転機構を有する従来のカバーの開閉手段に比べて部品点数を少なくできて構造を簡素化でき、組付け性を向上させることができる。そして、カバーを開いたときにパーテーショントリムから上方にカバーが突出することがないから、後方が見えにくくなることがなく、カバーに他物が引っ掛かることもない。さらに、チャイルドシートのテザーをテザーアンカーに取付けない非使用状態において、カバーとパーテーショントリムとの一体感を出しやすくて、非使用状態での外観をよくすることができる。（請求項１）
【００１０】
本第１発明において、
前記パーテーショントリムに側面視で上側に凸の円弧状の突曲部を形成し、前記開口部を前記突曲部に形成してあると、次の作用を奏することができる。（請求項２）
【００１１】
開口部を前記突曲部に形成してあるから、カバーを開いたときにテザーアンカーの前方及び上方を開放させることができる。このように、テザーアンカーの前方を開放させることで、テザーと開口部の周縁部との干渉を回避することができ、テザーアンカーの上方を開放させることで、テザーアンカーへのテザーの取付け操作を容易にすることができる。
例えば、パーテーショントリムに形成した後ろ上がりの傾斜面部に前記開口部を形成する構造において、カバーを開いたときのテザーアンカーの前方及び上方の開口面積を、本発明の上記構成の場合と同じ大きさに確保しようとすると、車両前後方向及び上下方向の開口部の長さを長くしなければならず、開口部が大きくなり過ぎる不具合がある。これに対して本発明によれば、開口部を前記突曲部に形成したことで、小さな開口部でありながら、テザーアンカーの前方及び上方を所望の大きさに開放させることができる。これにより構造を簡素化できるとともに、外観をより向上させることができる。（請求項２）
【００１２】
本第１発明において、
前記カバーをガイドするガイド部を前記パーテーショントリムの裏面部に設け、前記ガイド部を、前記カバーの一側部を摺動させてガイドする第１ガイド溝部と、前記カバーの他側部を摺動させてガイドする第２ガイド溝部とから構成して、前記カバーをスライド開閉式に構成してあると、次の作用を奏することができる。（請求項３）
【００１３】
カバーをガイドするガイド部をパーテーショントリムの裏面部に設けたことで、ガイド部を隠すことができて、外観を向上させることができるとともに、カバーとパーテーショントリムの一体感をより出しやすくすることができる。また、カバーの一側部を摺動させてガイドする第１ガイド溝部と、カバーの他側部を摺動させてガイドする第２ガイド溝部とを設けてあるから、簡単な構造で円滑かつ確実にカバーを開閉作動させることができる。（請求項３）
【００１４】
本第１発明において、
前記カバーの一側部の表裏両面に、前記第１ガイド溝部の一対の溝面を各別に摺動する断面円弧状の第１突条をそれぞれ形成し、
前記カバーの他側部の表裏両面に、前記第２ガイド溝部の一対の溝面を各別に摺動する断面円弧状の第２突条をそれぞれ形成してあると、次の作用を奏することができる。（請求項４）
【００１５】
第１突条と第２突条が前記溝面を摺動するから、溝面と各突条との摩擦抵抗が減少して、カバーを円滑に開閉操作することができるとともに、カバーの表裏両面が溝面に引っ掛かることを防止でき、カバーの表裏両面の損傷を回避できてカバーの外観を向上させることができる。（請求項４）
【００１６】
本第１発明において、
前記第１ガイド溝部の一方の溝面と前記第２溝部の一方の溝面とを前記パーテーショントリムの裏面で構成してあると、次の作用を奏することができる。（請求項５）
【００１７】
第１ガイド溝部の一方の溝面と第２溝部の一方の溝面とをパーテーショントリムの裏面で構成してあるから、パーテーショントリムの肉厚方向でカバーをパーテーショントリムの開口部に近づけることができ、カバーとパーテーショントリムの一体感を出しやすくすることできて、外観をより向上させることができる。（請求項５）
【００１８】
本第１発明において、
前記第１ガイド溝部を、前記パーテーショントリムの裏面から突出したリブ状の第１ガイド壁の付け根部に形成するとともに、前記第２ガイド溝部を、前記パーテーショントリムの裏面から突出したリブ状の第２ガイド壁の付け根部に形成し、
前記第１ガイド壁と第２ガイド壁を互いに離間する方向に弾性変形可能に構成し、
前記第１ガイド壁と第２ガイド壁の対向する一対の側面を前記開口部側に向かって窄まるテーパ面に形成し、
前記カバーの前記パーテーショントリムへの組付け工程において、前記カバーの一側部と他側部を前記第１ガイド壁と第２ガイド壁の前記一対の側面に前記パーテーショントリムの裏側から各別に当接させて、前記カバーを前記開口部側に押し込むに伴って、前記カバーの一側部と他側部が、前記一対の側面にガイドされながら前記第１ガイド壁と第２ガイド壁を弾性力に抗して押し広げ、前記第１ガイド溝部と第２ガイド溝部に前記一側部と他側部が各別に嵌合するとともに、前記第１ガイド壁と第２ガイド壁が弾性復帰して、前記カバーが前記パーテーショントリムに組付けられるよう構成してあると、次の作用を奏することができる。（請求項６）
【００１９】
カバーのパーテーショントリムへの組付け工程において、カバーの一側部と他側部を第１ガイド壁と第２ガイド壁の一対の側面にパーテーショントリムの裏側から各別に当接させて、カバーを開口部側に押し込むと、それに伴って、カバーの一側部と他側部が、一対の側面にガイドされながら第１ガイド壁と第２ガイド壁を弾性力に抗して押し広げる。そして、第１ガイド溝部と第２ガイド溝部に前記一側部と他側部が各別に嵌合するとともに、第１ガイド壁と第２ガイド壁が弾性復帰して、カバーがパーテーショントリムに組付けられる。すなわち、カバーをパーテーショントリムの裏側から開口部側に押し込むだけで、簡単にカバーをパーテーショントリムに取付けることができる。その結果、組付け性をより向上させることができる。（請求項６）
【００２０】
本第１発明において、
前記カバーの開き方向で上手側の前記カバーの端部の表側面に開閉操作用のつまみを突出形成し、
開閉方向逆向き姿勢で前記開口部側に押し込まれたカバーを受止めるカバー受け部を、前記開き方向上手側の前記第１ガイド壁の端部と第２ガイド壁の端部とに設け、前記第１ガイド壁と第２ガイド壁の突出方向に対して直交又はほぼ直交するカバー受け面を前記カバー受け部に形成し、前記組付け工程において前記カバーが開閉方向逆向き姿勢で前記開口部側に押し込まれると、前記カバー受け面が前記カバーの一側部と他側部を受け止めるか、あるいは、前記つまみが前記パーテーショントリムの裏面に当接して誤組付けが防止されるよう構成してあると、次の作用を奏することができる。（請求項７）
【００２１】
組付け工程においてカバーが開閉方向逆向き姿勢で開口部側に押し込まれると、下記の（Ａ）又は（Ｂ）のようになる。つまり、
（Ａ）カバー受け部のカバー受け面がカバーの一側部と他側部を受け止める。このカバー受け面は、第１ガイド壁と第２ガイド壁の突出方向に対して直交又はほぼ直交しているので、カバーからの押圧力は第１ガイド壁と第２ガイド壁に、その突出方向と反対方向に伝わる。その結果、第１ガイド壁と第２ガイド壁の幅方向の前記押圧力の成分が生じることがなく、第１ガイド壁と第２ガイド壁が互いに離間する方向に押し広げられなくなり、カバーが第１ガイド溝部及び第２ガイド溝部に入ることができなくなる。
あるいは、
（Ｂ）つまみがパーテーショントリムの裏面に当接してカバーをパーテーショントリムに組付けることができなくなる。
上記（Ａ），（Ｂ）により、組付け工程においてカバーが開閉方向逆向き姿勢でパーテーショントリムに組付けられることを防止できる。（請求項７）
【００２２】
本第２発明は、
請求項６記載のチャイルドシートアンカー装置のパーテーショントリムであって、
前記カバーの開き方向で上手側の前記第１ガイド壁の端部との間に第１係合溝を形成する第１凸部を、前記第１ガイド壁の端部よりも前記開き方向上手側に位置する状態に裏面に突設するとともに、前記カバーの開き方向で上手側の前記第２ガイド壁の端部との間に第２係合溝を形成する第２凸部を、前記第２ガイド壁の端部よりも前記開き方向上手側に位置する状態に前記裏面に突設し、
前記カバーに換えて前記開口部を常に閉塞しておくための閉塞蓋の一側部と他側部を、前記第１ガイド壁と第２ガイド壁の前記一対の側面に裏側から各別に当接させて、前記閉塞蓋を前記開口部側に押し込むに伴って、前記閉塞蓋の一側部と他側部が、前記一対の側面にガイドされながら前記第１ガイド壁と第２ガイド壁を弾性力に抗して押し広げ、前記第１ガイド溝部と第２ガイド溝部に前記閉塞蓋の一側部と他側部が各別に嵌合するとともに、前記第１ガイド壁と第２ガイド壁が弾性復帰し、さらに、前記開き方向で上手側の前記閉塞蓋の一側部分から幅方向外方側に張り出す第１張り出し部が前記第１係合溝に係合し、前記開き方向で上手側の前記閉塞蓋の他側部分から幅方向外方側に張り出す第２張り出し部が前記第２係合溝に係合して、前記閉塞蓋が組付けられるよう構成してあるパーテーショントリムであり、次の作用を奏することができる。（請求項８）
【００２３】
上記構成のパーテーショントリムをチャイルドシートアンカー装置の構成部品とした場合、請求項６と同様の作用を奏することができる。そして、上記のように構成したことで、チャイルドシートアンカー装置を設けない仕様の自動車にも上記構成のパーテーショントリムを組付けることができる。
すなわち、開閉操作可能なカバーに換えて開口部を常に閉塞しておくための閉塞蓋の一側部と他側部を、第１ガイド壁と第２ガイド壁の一対の側面に裏側から各別に当接させて、閉塞蓋を開口部側に押し込むと、それに伴って、閉塞蓋の一側部と他側部が、一対の側面にガイドされながら第１ガイド壁と第２ガイド壁を弾性力に抗して押し広げ、第１ガイド溝部と第２ガイド溝部に閉塞蓋の一側部と他側部が各別に嵌合するとともに、第１ガイド壁と第２ガイド壁が弾性復帰する。さらに、前記開き方向で上手側の閉塞蓋の一側部分から幅方向外方側に張り出す第１張り出し部が第１係合溝に係合し、開き方向で上手側の閉塞蓋の他側部分から幅方向外方側に張り出す第２張り出し部が第２係合溝に係合して、閉塞蓋がパーテーショントリムに組付けられる。
第１ガイド壁と第２ガイド壁の長手方向（カバーの開閉方向）の閉塞蓋の移動は、前記閉塞蓋の第１及び第２張り出し部と係合溝との係合によって阻止される。また前記長手方向と直交する方向の閉塞蓋の移動は、第１ガイド溝部と第２ガイド溝部に閉塞蓋の一側部と他側部が各別に嵌合することによって阻止される。上記のように、閉塞蓋をパーテーショントリムの裏側から開口部側に押し込むだけで、簡単に閉塞蓋をパーテーショントリムに取付けることができる。その結果、閉塞蓋の組付け性を向上させることができる。
【発明の効果】
【００２４】
本第１発明によれば、部品点数を少なくでき、組み付け性を向上させることができ、チャイルドシートのテザーをテザーアンカーに取付けた使用状態、及び、テザーをテザーアンカーに取付けてない非使用状態での外観を向上させることができ、前記使用状態であっても後方が見えにくくなることがなく、カバーへの他物の引っ掛かりに起因するカバーの変形やパーテーションパネルからのはずれを防止できるチャイルドシートアンカー装置を提供することができた。
そして本第２発明によれば、パーテーショントリムをチャイルドシートアンカー装置の構成部品とした場合、請求項６と同様の効果を奏することができるパーテーショントリムを提供でき、さらに、チャイルドシートアンカー装置を設ける仕様の自動車と設けない仕様の自動車とにおける共通化を図ることができるパーテーショントリムを提供できた。
【発明を実施するための最良の形態】
【００２５】
以下、本発明を実施するための最良の形態を図面に基づいて説明する。図１に示すように、自動車の後部座席１００の中央にチャイルドシート１０１を配置し、チャイルドシート１０１の座部１０２の両側部１０３に形成された横向きのベルト孔１０４にシートベルト１０５を挿通固定して、後部座席１００にチャイルドシート１０１を取付けてある。図２，図３にも示すように、後部座席１００の後方の、車室内とトランクを仕切るパーテーションパネル１に、チャイルドシート１０１のテザー１０８に対するテザーアンカー２を取付けてあり、チャイルドシート１０１の背部１０６の上端に装着されたベルト１０７のテザー１０８をテザーアンカー２に係止する。テザーアンカー２は、スペーサ１１１を介してボルト１１２・ナット１１３によりパーテーションパネル１に取り付けられている。ナット１１３はパーテーションパネル１の裏面に溶接固着され、テザーアンカー２の下方のパーテーションパネル部分は補強板１４で補強されている。
【００２６】
図２，図３に示すように、パーテーションパネル１を上方から覆うパーテーショントリム３に、テザーアンカー２の上方を開放する開口部４を形成し、パーテーショントリム３の表裏両面３Ｍ，３Ｎに沿って移動して開口部４を開閉するカバー５を設けてチャイルドシートアンカー装置５０を構成してある。このチャイルドシートアンカー装置５０は車幅方向に一定の間隔を空けて３個配置されている（図１参照）。パーテーショントリム３は、後部に一体形成された係合爪によってバックウィンドウガラス１６の近傍の車体に係合されるとともに、パーテーションパネル１の上面にクリップで固定されている。また、その左右はリヤピラーの内装トリムの下端に係合し、後端はバックウィンドウガラス１６の近傍に配置され、前側は、後部座席１００のシートバックに沿って下方に屈曲している。なお、下方に屈曲してシートバックに隠される位置でも車体に固定されている。次に、上記のチャイルドシートアンカー装置５０について詳しく説明する。
【００２７】
前記パーテーショントリム３の後部座席１００側の部分に側面視で上側に凸の円弧状の突曲部６を形成し、突曲部６の頂点よりも車両前方側の突曲部分に前記開口部４を形成してある。開口部４は左右幅が一定で、車両前方側から見て長方形状になっている。カバー５は樹脂製で、側面視で突曲部６に沿う円弧状になっており、かつ、車両前方側から見て長方形状になっている。すなわち、長方形の平板を円弧状に折り曲げた形状にカバー５を形成してある。このカバー５がパーテーショントリム３の表裏両面３Ｍ，３Ｎに沿って自動車の斜め前後方向に移動する。カバー５の表側面にアンカーの存在を示す印を型成形し（図７（ａ），図７（ｂ）参照）、裏面に一対の補強リブ７７を設けてある。
【００２８】
図４，図６（ａ）,図６（ｂ）に示すように、カバー５をガイドするガイド部７をパーテーショントリム３の裏面部に設け、ガイド部７を、カバー５の一側部１５を摺動させてガイドする第１ガイド溝部１１と、カバー５の他側部２５を摺動させてガイドする第２ガイド溝部１２とから構成して、カバー５をスライド開閉式に構成してある。
【００２９】
カバー５の一側部１５の表裏両面には、第１ガイド溝部１１の一対の溝面１１Ｍ１，１１Ｍ２を各別に摺動する断面円弧状の第１突条３１をそれぞれ形成し、カバー５の他側部２５の表裏両面には、第２ガイド溝部１２の一対の溝面１２Ｍ１，１２Ｍ２を各別に摺動する断面円弧状の第２突条３２をそれぞれ形成してある。図７（ａ），図７（ｂ）に示すように、第１突条３１はカバー５の開閉方向に間隔を空けて一列に並ぶ複数の突条部分３１ａから成り、第２突条３２もカバー５の開閉方向に間隔を空けて一列に並ぶ複数の突条部分３２ａから成る。第１ガイド溝部１１の一方の溝面１１Ｍ１と第２溝部１２の一方の溝面１２Ｍ１とはパーテーショントリム３の裏面３Ｕで構成してある（図６（ａ）,図６（ｂ）参照）。
【００３０】
前記第１ガイド溝部１１を、パーテーショントリム３の裏面３Ｕから突出したリブ状の第１ガイド壁４１の付け根部に、第２ガイド溝部１２に向かって開口する断面コの字状に形成するとともに、第２ガイド溝部１２を、パーテーショントリム３の裏面３Ｕから突出したリブ状の第２ガイド壁４２の付け根部に、第１ガイド溝部１１に向かって開口する断面コの字状に形成してある。また、第１ガイド壁４１と第２ガイド壁４２の付け根部に、それらの長手方向に間隔を空けて複数の貫通横孔８（図４，図６（ａ）参照）を形成することで、第１ガイド壁４１と第２ガイド壁４２を互いに離間する方向に弾性変形可能に構成し、第１ガイド壁４１と第２ガイド壁４２の突出方向Ｔの先端に位置する対向する一対の側面４１Ｍ，４２Ｍを、開口部４側に向かって窄まるテーパ面（斜面）に形成してある（図６（ａ），図６（ｂ）参照）。第１ガイド壁４１と第２ガイド壁４２の付け根部に、それらの長手方向に間隔を空けて複数の貫通横孔８を形成することで、パーテーショントリム３の表側面のヒケ（成形工程で生じる表側面の部分的な凹み）を防止できる効果もある。
【００３１】
そして、カバー５のパーテーショントリム３への組付け工程において、カバー５の一側部１５と他側部２５を第１ガイド壁４１と第２ガイド壁４２の前記一対の側面４１Ｍ，４２Ｍにパーテーショントリム３の裏側から各別に当接させて、カバー５を開口部４側に押し込むに伴って、側面４１Ｍ，４２Ｍに形成されたテーパ面の効果で、カバー５の一側部１５と他側部２５が、前記一対の側面４１Ｍ，４２Ｍにガイドされながら第１ガイド壁４１と第２ガイド壁４２を弾性力に抗して押し広げ、その後に、第１ガイド溝部１１と第２ガイド溝部１２に前記一側部１５と他側部２５が各別に嵌合するとともに、第１ガイド壁４１と第２ガイド壁４２が弾性復帰して、カバー５がパーテーショントリム３に組付けられるよう構成してある。
【００３２】
図２，図３，図７（ａ），図７（ｂ）に示すように、カバー５の開き方向Ｊ１で上手側のカバー５の端部５Ａの表側面に開閉操作用のつまみ９を突出形成してある。つまみ９はカバー５の幅方向中央部に位置し、つまみ９の閉じ側の面９Ａ（開き方向で上手側を向く面）はカバー５の表裏両面に対して直角に立ち上がって開口部４を通過しその上方にまで突出している。そして開口部４がカバー５によって閉塞（全閉）したときに、つまみ９が開口部４の閉じ側の周縁部４Ｓ１に当接して閉じ側の規制が行われ、開口部４が全開したときに、つまみ９が開口部４の開き側の周縁部４Ｓ２に当接して開き側の規制が行われる。
【００３３】
カバー５の開き方向Ｊ１で上手側のカバー５の端部５Ａの両側面に横方向に突出する半球状の第１係合凸部１０Ａを突設してあり（図７（ｂ）参照）、さらに、前記開き方向上手側の第１ガイド壁４１の端部４１Ａと第２ガイド壁４２の端部４２Ａとに、第１係合凸部１０Ａが係合する第１係合孔１０Ｂを形成してある。つまり、カバー５が閉塞（全閉）したときには、左右の第１係合凸部１０Ａが第１係合孔１０Ｂに係合してカバー５が位置固定される（図６（ｂ）参照）。前記開き方向上手側の第１ガイド壁４１の端部４１Ａと第２ガイド壁４２の端部４２Ａとは、カバー５の開閉方向で開口部４の閉じ側の周縁部４Ｓ１の近傍に位置する。前記開き方向下手側の第１ガイド壁４１の端部と第２ガイド壁４２の端部とは、開口部４の開き側の周縁部４Ｓ２よりも前記開き方向下手側に位置している。詳しくは、第１ガイド壁４１と第２ガイド壁４２のカバー５の開閉方向における長さは、前記開閉方向における開口部４の長さのほぼ１．５倍である（この数値に限られない）。
【００３４】
また、第１ガイド壁４１と第２ガイド壁４２の長手方向中間部に、第１係合凸部１０Ａが係合する第２係合孔２０Ｂを形成してあり、カバー５が全開したときには、左右の前記第１係合凸部１０Ａが第２係合孔２０Ｂに係合してカバー５が位置固定される。例えば、テザーをテザーアンカーに係合した使用状態で、開口部５の開口を最小にしたいときなどには、前記第２係合孔２０Ｂを、第１ガイド壁４１のと第２ガイド壁４２の所望の部分に配設して、第１係合凸部１０Ａと第２係合孔２０Ｂの係合によりカバー５を位置固定すればよい。
【００３５】
［誤組付け防止手段］
図４，図６（ａ）,図６（ｂ）に示すように、開閉方向逆向き姿勢で前記開口部４側に押し込まれたカバー５を受止めるカバー受け部１３を、前記開き方向上手側Ｊ１の第１ガイド壁４１の端部４１Ａと第２ガイド壁４２の端部４２Ａとに設け、第１ガイド壁４１と第２ガイド壁４２の突出方向Ｔに対して直交又はほぼ直交するカバー受け面１３Ｍをカバー受け部１３の他方のガイド壁側に形成し、組付け工程においてカバー５が開閉方向逆向き姿勢で開口部４側に押し込まれると、カバー受け面１３Ｍがカバー５の一側部１５と他側部２５を受け止めるか、あるいは、つまみ９がパーテーショントリム３の裏面３Ｕに当接して誤組付けが防止されうよう構成してある。このカバー受け部１３は、第１ガイド壁４１と第２ガイド壁４２の対向する一対の側面４１Ｍ，４２Ｍに形成された開口部４側に向かって窄まるテーパ面（斜面）に、突出部を設けることで形成することもできる。
例えば、カバー５の開き方向Ｊ１で下手側のカバー５の端部５Ｂ（詳しくは開き方向で下手側のカバー５の一側部分と他側部分）が、カバー受け部１３に受止められないように、前記開き方向Ｊ１で下手側にカバー５をずらして組付け操作を行った場合、つまみ９がパーテーショントリム３の裏面３Ｕに当接して組付け不能になる。また、上記の組付け操作のときよりも、開き方向Ｊ１で上手側にカバー５を位置ずれさせて組付け操作を行うと、カバー５の端部５Ｂ（開き方向Ｊ１で下手側のカバー５の端部５Ｂ）がカバー受け部１３のカバー受け面１３Ｍに受止められて組付け不能になる。これらの作用を奏するように、つまみ９の背面と、開き方向Ｊ１で下手側のカバー５の端部５Ｂ側の端縁５ｂとの間の長さ（側面視での長さ）よりも、開口部４の開き側の周縁部４Ｓ２からカバー受け部１３のカバー開き側の端縁１３ａまでの長さ（側面視での長さ）を短くしてある。
【００３６】
［閉塞蓋６０の取付け構造］
図４に示すように、カバー５の開き方向Ｊ１で上手側の第１ガイド壁４１の端部４１Ａとの間に第１係合溝５３Ａを形成する第１凸部５１を、第１ガイド壁４１の端部４１Ａよりも前記開き方向上手側に位置する状態にパーテーショントリム３の裏面３Ｕに突設するとともに、カバー５の開き方向Ｊ１で上手側の第２ガイド壁４２の端部４２Ａとの間に第２係合溝５３Ｂを形成する第２凸部５２を、前記第２ガイド壁４２の端部４２Ａよりも前記開き方向上手側に位置する状態に前記裏面３Ｕに突設してある。第１係合溝５３Ａと第２係合溝５３Ｂは、カバー５に換えて開口部４を常に閉塞しておくための閉塞蓋６０（図８（ａ），図８（ｂ）参照）をパーテーショントリム３に位置固定するために設けてある。
【００３７】
閉塞蓋６０は樹脂製でカバー５とほぼ同じ大きさであり、カバー５と異なる点について説明すると、前記開き方向Ｊ１に沿う突条７１を閉塞蓋６０の一側部６１と他側部６２の裏面側にだけ設け、前記開き方向Ｊ１で上手側の閉塞蓋６０の一側部分６１Ａから幅方向外方側に張り出す第１張り出し部６３と、開き方向Ｊ１で上手側の閉塞蓋６０の他側部分６２Ａから幅方向外方側に張り出す第２張り出し部６４とを設け、第１張り出し部６３と第２張り出し部６４の近傍に、カバー受け部１３との干渉を回避するための切欠き６５をそれぞれ形成し、前記第２係合孔２０Ｂに係合する半球状の第３係合凸部７０を閉塞蓋６０の一側部６１と他側部６２の端部６０Ｂ（前記開き方向Ｊ１で下手側の端部６０Ｂ）の両側面に突設してある。
【００３８】
［閉塞蓋６０の取付け方法］
上記構成の閉塞蓋６０をカバー５と同様の方法によってパーテーショントリム３に取付けるようにしてある。すなわち、閉塞蓋６０の一側部６１と他側部６２を、第１ガイド壁４１と第２ガイド壁４２の前記一対の側面４１Ｍ，４２Ｍにパーテーショントリム３の裏側から各別に当接させて、閉塞蓋６０を開口部４側に押し込む。この押し込みに伴って、閉塞蓋６０の一側部６１と他側部６２が、一対の側面４１Ｍ，４２Ｍにガイドされながら第１ガイド壁４１と第２ガイド壁４２を弾性力に抗して押し広げ、その後に、第１ガイド溝部１１と第２ガイド溝部１２に閉塞蓋６０の一側部６１と他側部６２が各別に嵌合するとともに、第１ガイド壁４１と第２ガイド壁４２が弾性復帰する。さらに、前記第１張り出し部６３が第１凸部５１と第１ガイド壁４１の端部４１Ａとの間に配置されて第１係合溝５３Ａに係合し、前記第２張り出し部６４が第２凸部５２と第２ガイド壁４２の端部４２Ａとの間に配置されて第２係合溝５３Ｂに係合し、第３係合凸部７０が第２係合孔２０Ｂに係合する。閉塞蓋６０に前記切欠き６５を形成してあるので、カバー受け部１３と閉塞蓋６０の干渉を回避することができる。これにより、図５に示すように、閉塞蓋６０がパーテーショントリム３に組付けられる。上記の押し込みの際に、前記第１張り出し部６３が第１係合溝５３Ａに、前記第２張り出し部６４が第２係合溝５３Ｂに円滑に係合できるように、図４,図５に示すように、前記カバー受け部１３のカバー受け面１３Ｍを側面視で円弧状に形成してある。つまり、第１ガイド壁４１の端部４１Ａと第２ガイド壁４２の端部４２Ａの第１凸部５１と第２凸部５２に面する側の突出方向Ｔの先端部分が、第１張り出し部６３及び第２張り出し部６４の挿入を容易にするべく円弧状に形成してある。
【００３９】
［別実施形態］
前記カバー５を車両の左右方向にスライドするスライド開閉式に構成してもよい。
【図面の簡単な説明】
【００４０】
【図１】自動車の後部座席とその周りの構造の斜視図
【図２】チャイルドシートアンカー装置の縦断側面図
【図３】カバーが全開した状態を示すチャイルドシートアンカー装置の縦断側面図
【図４】パーテーショントリムを裏側から見た斜視図
【図５】閉塞蓋をパーテーショントリムに取付けた状態を示す図
【図６】（ａ）は図２のＦ−Ｆ断面図、（ｂ）は図２のＥ−Ｅ断面図
【図７】（ａ）はカバーの斜視図、（ｂ）はカバーの正面図（自動車の前方側から見た図）
【図８】（ａ）は閉塞蓋の斜視図、（ｂ）は閉塞蓋の正面図（自動車の前方側から見た図）
【符号の説明】
【００４１】
１          パーテーションパネル
２          テザーアンカー
３          パーテーショントリム
３Ｕ        パーテーショントリムの裏面
３Ｍ，３Ｎ  パーテーショントリムの面（表裏両面）
４          開口部
５          カバー
６          突曲部
７          ガイド部
９          つまみ
１１        第１ガイド溝部
１１Ｍ１，１１Ｍ２  一対の溝面
１２        第２ガイド溝部
１２Ｍ１，１２Ｍ２  一対の溝面
１３        カバー受け部
１３Ｍ      カバー受け面
１５        カバーの一側部
２５        カバーの他側部
３１        第１突条
３２        第２突条
４１        第１ガイド壁
４１Ａ      開き方向上手側の第１ガイド壁の端部
４１Ｍ      第１ガイド壁の側面
４２        第２ガイド壁
４２Ａ      開き方向上手側の第２ガイド壁の端部
４２Ｍ      第２ガイド壁の側面
５０        チャイルドシートアンカー装置
５１        第１凸部
５２        第２凸部
５３Ａ      第１係合溝
５３Ｂ      第２係合溝
６０        閉塞蓋
６１        閉塞蓋の一側部
６１Ａ      閉塞蓋の一側部分
６２        閉塞蓋の他側部
６２Ａ      閉塞蓋の他側部分
６３        第１張り出し部
６４        第２張り出し部
１００      後部座席
１０１      チャイルドシート
１０８      テザー
Ｊ１        カバーの開き方向
Ｔ          第１ガイド壁と第２ガイド壁の突出方向
【図１】
2008120356.tif 000003
【図２】
2008120356.tif 000004
【図３】
2008120356.tif 000005
【図４】
2008120356.tif 000006
【図５】
2008120356.tif 000007
【図６】
2008120356.tif 000008
【図７】
2008120356.tif 000009
【図８】
2008120356.tif 000010